(57)【要約】【課題】固定具が係止する被係止部に掛かる負荷を抑制すると共に外観に優れた屋根構造及びその施工方法を提供する。【解決手段】屋根構造１は、屋根１０と、屋根上面１０Ａ側に開口する溝２１Ｄを有する樋２１と、樋２１の溝内に配置されたネット部材４０と、樋２１の溝２１Ｄの内側面よりも内側に位置する一対の水切り部３１，３２と、ネット部材４０を樋２１に固定する固定具５０と、を備える。固定具５０は、ネット部材４０を溝２１Ｄの底に向かって上方から押圧可能な形状を有する押圧部５５と、押圧部５５がネット部材４０を押圧することによる反力Ｆ１を利用して、一対の水切り部３１，３２に下方から係止する一対の係止部５６，５７と、を有する。【選択図】図１
2018040126.tif 000002
【特許請求の範囲】
【請求項１】
屋根と、
前記屋根の縁部に沿って延びると共に、屋根上面側に開口する溝を有する樋と、
前記樋の溝内に配置されたネット部材と、
前記樋の溝の幅方向に間隔を空けて配置され、前記幅方向における前記溝の内側面よりも内側に位置する一対の被係止部と、
前記ネット部材を前記樋に固定する固定具と、を備え、
前記ネット部材は、前記溝の底に向かって押圧されることにより弾性変形可能に構成され、
前記固定具は、
前記ネット部材を前記溝の底に向かって上方から押圧可能な形状を有する押圧部と、
前記押圧部の幅方向の両側に設けられ、前記押圧部が前記ネット部材を押圧することによる反力を利用して、前記一対の被係止部に下方から係止する一対の係止部と、を有することを特徴とする、屋根構造。
【請求項２】
前記固定具は、
一方の前記係止部と、第１接続部と、を含む第１固定具と、
他方の前記係止部と、前記第１接続部に対して着脱可能に接続される第２接続部と、を含む第２固定具と、を有することを特徴とする、請求項１に記載の屋根構造。
【請求項３】
前記第１接続部及び前記第２接続部の少なくとも一方は、他方の接続部の途中部を受け入れ可能となるように前記樋の前記溝が延びる方向に開くスリットを有し、
前記第１固定具及び前記第２固定具の少なくとも一方は、前記スリットが延びる方向における前記第１固定具及び前記第２固定具の移動が許容される非拘束状態と、前記移動が規制されると共に、両接続部における前記スリットの一方側の部分同士の移動を規制する拘束状態と、を切り替える拘束部を有することを特徴とする、請求項２に記載の屋根構造。
【請求項４】
前記第１接続部及び前記第２接続部の少なくとも一方は、基部と、前記基部に対して折り曲げ可能な折り曲げ部と、を有し、
前記折り曲げ部が前記拘束部を有することを特徴とする、請求項３に記載の屋根構造。
【請求項５】
前記樋より上方の部位において水を受ける受け部と、
前記受け部において受けた水を前記樋の溝内に案内する案内部と、を有し、
前記案内部が前記被係止部を有することを特徴とする、請求項１〜４の何れか１項に記載の屋根構造。
【請求項６】
屋根と、前記屋根の縁部に沿って延びると共に屋根上面側に開口する溝を有する樋と、前記樋の溝内に配置されたネット部材と、前記樋の溝の幅方向に間隔を空けて配置されると共に前記幅方向における前記溝の内側面よりも内側に位置する一対の被係止部と、を備えた屋根構造において、前記ネット部材を前記樋に固定するための施工方法であって、
前記ネット部材を前記溝の底に向かって上方から押圧可能な形状を有する押圧部と、前記押圧部の幅方向の両側に設けられた一対の係止部と、を有する固定具を準備する準備ステップと、
前記押圧部により前記ネット部材を押圧して弾性変形させると共に、前記ネット部材の弾性変形に起因する反力によって前記一対の係止部を前記一対の被係止部に対して下方から係止させることにより、前記固定具を用いて前記ネット部材を前記樋に固定する固定ステップと、を備えることを特徴とする、屋根構造の施工方法。
【請求項７】
前記準備ステップでは、一方の前記係止部及び第１接続部を含む第１固定具と、他方の前記係止部及び前記第１接続部に対して着脱可能に接続される第２接続部を含む第２固定具と、を準備し、
前記固定ステップは、
一方の前記係止部を一方の前記被係止部に係止させることにより、前記第１固定具を取り付ける第１係止ステップと、
他方の前記係止部を他方の前記被係止部に係止させることにより、前記第２固定具を取り付ける第２係止ステップと、
前記第１接続部と前記第２接続部とを接続し、前記押圧部により前記ネット部材を押圧する押圧ステップと、を有することを特徴とする、請求項６に記載の屋根構造の施工方法。
【発明の詳細な説明】
【技術分野】
【０００１】
本発明は、屋根構造及びその施工方法に関する。
【背景技術】
【０００２】
従来、下記特許文献１，２に開示されるように、屋根の軒下に設けられる樋と、樋の内側に配置されるネット部材と、を有する屋根構造が知られている。このネット部材を樋の内側に配置することにより、屋根から樋の内側に案内される水から枯葉などのゴミを除去することができる。
【０００３】
下記特許文献１には、その図２に開示される通り、湾曲した状態で樋３０の内側に嵌め込まれるネット部材１０と、このネット部材１０を樋３０から外れないように上方から押さえる固定具２０と、を有する構造が開示されている。また下記特許文献２には、その図１に開示される通り、樋９の内側に嵌め込まれたネット部材１と、このネット部材１を上方から押さえると共に、両端が樋９の幅方向両側に設けられた被係止部に対して係止された固定具１２と、を有する構造が開示されている。
【先行技術文献】
【特許文献】
【０００４】
【特許文献１】特許第４９４４４９２号公報
【特許文献２】特開平１０−１８３９００号公報
【発明の概要】
【発明が解決しようとする課題】
【０００５】
上記特許文献１では、ネット部材１０を上方から押さえる部材として、湾曲可能な弾性を有する固定具２０が用いられている。この固定具２０は、一端部が樋３０の内側に引っ掛けられ、中間部が湾曲し、さらに他端部が樋３０の隅部３５に挿し込まれた状態で、樋３０の内側に嵌め込まれている。この構造では、固定具２０の湾曲により生じる弾発力が、樋３０の内側において固定具２０の両端が係止する被係止部に加わり、被係止部に大きな負荷が掛かるという問題がある。また上記特許文献２では、固定具１２の両端の係止部が露出し、外部から見え易い構造となっているため、屋根の外観上好ましくない。
【０００６】
本発明は、上記課題に鑑みてなされたものであり、その目的は、固定具が係止する被係止部に掛かる負荷を抑制すると共に外観に優れた屋根構造及びその施工方法を提供することである。
【課題を解決するための手段】
【０００７】
本発明の一局面に係る屋根構造は、屋根と、前記屋根の縁部に沿って延びると共に、屋根上面側に開口する溝を有する樋と、前記樋の溝内に配置されたネット部材と、前記樋の溝の幅方向に間隔を空けて配置され、前記幅方向における前記溝の内側面よりも内側に位置する一対の被係止部と、前記ネット部材を前記樋に固定する固定具と、を備える。前記ネット部材は、前記溝の底に向かって押圧されることにより弾性変形可能に構成されている。前記固定具は、前記ネット部材を前記溝の底に向かって上方から押圧可能な形状を有する押圧部と、前記押圧部の幅方向の両側に設けられ、前記押圧部が前記ネット部材を押圧することによる反力を利用して、前記一対の被係止部に下方から係止する一対の係止部と、を有する。
【０００８】
上記屋根構造では、樋の溝内に配置されたネット部材を固定具によって上方から押圧することにより、ネット部材の弾性変形に起因する反力により固定具の係止部を被係止部に対して係止させ、ネット部材を樋に対して固定することができる。このため、ネット部材を下方に押圧するだけで係止部を被係止部から外すことができ、固定具を樋から容易に取り外すことができる。従って、固定具を樋から取り外した後、ネット部材を樋に対して着脱することが可能になり、メンテナンス性を向上させることができる。
【０００９】
また固定具は、固定具自身の弾発力ではなく、ネット部材の弾発力（反力）を利用して被係止部に係止されている。ネット部材の弾発力は、固定具の弾発力よりも小さいため、被係止部に大きな負荷が加わるのを抑制することができる。しかも、被係止部は樋の内側面よりも内側に位置すると共に、係止部は被係止部に対して下方から係止している。このため、樋の外側から見て係止部が露出せず、外観に優れた屋根構造を提供することができる。
【００１０】
上記屋根構造において、前記固定具は、一方の前記係止部と、第１接続部と、を含む第１固定具と、他方の前記係止部と、前記第１接続部に対して着脱可能に接続される第２接続部と、を含む第２固定具と、を有していてもよい。
【００１１】
この構成によれば、固定具を２つの部材（第１固定具及び第２固定具）により構成することで、単一の部材により固定具を構成する場合に比べて、固定具をより容易に取り付けることが可能になる。また第１及び第２固定具を着脱可能に構成することで、メンテナンス時における固定具の取り外しが容易になる。
【００１２】
上記屋根構造において、前記第１接続部及び前記第２接続部の少なくとも一方は、他方の接続部の途中部を受け入れ可能となるように前記樋の前記溝が延びる方向に開くスリットを有していてもよい。前記第１固定具及び前記第２固定具の少なくとも一方は、前記スリットが延びる方向における前記第１固定具及び前記第２固定具の移動が許容される非拘束状態と、前記移動が規制されると共に、両接続部における前記スリットの一方側の部分同士の移動を規制する拘束状態と、を切り替える拘束部を有していてもよい。
【００１３】
この構成によれば、幅方向のスペースが制限された樋に対して固定具を取り付ける際に、第１及び第２固定具をスリットに沿って樋の溝が延びる方向にスライドさせることで、第１固定具と第２固定具を容易に接続させることができる。しかも、ネット部材の反力により両接続部におけるスリットの一方側の部位同士が移動するのを規制することで、ネット部材に対して押圧力をより確実に伝えることができる。
【００１４】
上記屋根構造において、前記第１接続部及び前記第２接続部の少なくとも一方は、基部と、前記基部に対して折り曲げ可能な折り曲げ部と、を有していてもよい。前記折り曲げ部が前記拘束部を有していてもよい。
【００１５】
この構成によれば、折り曲げ部を基部に対して折り曲げ、また元に戻すだけで、上記非拘束状態と拘束状態を容易に切り替えることができる。
【００１６】
上記屋根構造は、前記樋より上方の部位において水を受ける受け部と、前記受け部において受けた水を前記樋の溝内に案内する案内部と、を有していてもよい。前記案内部が前記被係止部を有していてもよい。
【００１７】
この構成によれば、固定具の係止部を係止するための被係止部として案内部を利用することにより、案内部以外の部位を被係止部として別に設ける場合に比べて、屋根構造をより簡易化することができる。
【００１８】
本発明の他の局面に係る屋根構造の施工方法は、屋根と、前記屋根の縁部に沿って延びると共に屋根上面側に開口する溝を有する樋と、前記樋の溝内に配置されたネット部材と、前記樋の溝の幅方向に間隔を空けて配置されると共に前記幅方向における前記溝の内側面よりも内側に位置する一対の被係止部と、を備えた屋根構造において、前記ネット部材を前記樋に固定するための施工方法である。上記施工方法は、前記ネット部材を前記溝の底に向かって上方から押圧可能な形状を有する押圧部と、前記押圧部の幅方向の両側に設けられた一対の係止部と、を有する固定具を準備する準備ステップと、前記押圧部により前記ネット部材を押圧して弾性変形させると共に、前記ネット部材の弾性変形に起因する反力によって前記一対の係止部を前記一対の被係止部に対して下方から係止させることにより、前記固定具を用いて前記ネット部材を前記樋に固定する固定ステップと、を備える。
【００１９】
上記屋根構造の施工方法では、樋の溝内に配置されたネット部材を固定具によって上方から押圧することにより、ネット部材の弾性変形に起因する反力により固定具の係止部を被係止部に対して係止させ、ネット部材を樋に対して固定することができる。このため、ネット部材を下方に押圧するだけで係止部を被係止部から外すことができ、固定具を樋から容易に取り外すことができる。従って、固定具を樋から取り外した後、ネット部材を樋に対して着脱することが可能になり、メンテナンス性を向上させることができる。
【００２０】
また固定具は、固定具自身の弾発力ではなく、ネット部材の弾発力（反力）を利用して被係止部に係止される。ネット部材の弾発力は、固定具の弾発力よりも小さいため、被係止部に大きな負荷が加わるのを抑制することができる。しかも、被係止部は樋の内側面よりも内側に位置すると共に、係止部は被係止部に対して下方から係止する。このため、樋の外側から見て係止部が露出せず、外観に優れた屋根構造を得ることができる。
【００２１】
上記屋根構造の施工方法において、前記準備ステップでは、一方の前記係止部及び第１接続部を含む第１固定具と、他方の前記係止部及び前記第１接続部に対して着脱可能に接続される第２接続部を含む第２固定具と、を準備してもよい。前記固定ステップは、一方の前記係止部を一方の前記被係止部に係止させることにより、前記第１固定具を取り付ける第１係止ステップと、他方の前記係止部を他方の前記被係止部に係止させることにより、前記第２固定具を取り付ける第２係止ステップと、前記第１接続部と前記第２接続部とを接続し、前記押圧部により前記ネット部材を押圧する押圧ステップと、を有していてもよい。
【００２２】
この方法によれば、第１固定具及び第２固定具を順に取り付けた後、これらを接続するという手順によって、固定具を簡単に取り付けることが可能になる。
【発明の効果】
【００２３】
以上の説明から明らかなように、本発明によれば、固定具が係止する被係止部に掛かる負荷を抑制すると共に外観に優れた屋根構造及びその施工方法を提供することができる。
【図面の簡単な説明】
【００２４】
【図１】本発明の実施形態１に係る屋根構造の構成を模式的に示す図である。
【図２】本発明の実施形態１に係る屋根構造においてネット部材を樋に固定するための固定具の構成を模式的に示す図である。
【図３】本発明の実施形態１に係る屋根構造の施工方法において第１固定具が取り付けられた状態を示す模式図である。
【図４】本発明の実施形態１に係る屋根構造の施工方法において第２固定具が取り付けられた状態を示す模式図である。
【図５】本発明の実施形態１に係る屋根構造の施工方法において第１固定具と第２固定具を交差させた状態を示す模式図である。
【図６】本発明の実施形態１に係る屋根構造の施工方法において第１固定具及び第２固定具がネット部材の上面に沿って曲げられた状態を示す模式図である。
【図７】本発明の実施形態１に係る屋根構造の施工方法において第１固定具と第２固定具の接続が完了した状態を示す模式図である。
【図８】本発明の実施形態２に係る屋根構造の構成を模式的に示す図である。
【発明を実施するための形態】
【００２５】
以下、図面に基づいて、本発明の実施形態につき詳細に説明する。
【００２６】
（実施形態１）
＜屋根構造＞
まず、本発明の実施形態１に係る屋根構造１の全体構成について、図１を参照して説明する。図１は、本実施形態に係る屋根構造１における軒先側の領域を拡大して示している。
【００２７】
屋根構造１は、建物の外壁から外側に向かって突き出るように設けられる大型庇に適用される構造である。この屋根構造１は、軒下空間の上部を覆う屋根１０と、屋根１０の縁部１１に沿って延びる溝２１Ｄを有する樋２１と、樋２１の溝内に配置されたネット部材４０と、ネット部材４０を樋２１に固定する固定具５０と、樋２１を屋根１０に対して支持するためのブラケット２２と、を備える。
【００２８】
屋根１０は、上側屋根材１２と、下側屋根材１３と、上側屋根材１２と下側屋根材１３との間に配置されると共にこれらを支持する屋根フレーム２４，２６と、を有する。上側屋根材１２は、屋根上面１０Ａを含み、先端が屋根フレーム２４，２６よりも樋２１側に延びている。
【００２９】
屋根フレーム２４，２６は、上側屋根材１２に固定される上側屋根フレーム２４と、上側屋根フレーム２４の下面に固定されると共に下側屋根材１３の上面１３Ａに固定される下側屋根フレーム２６と、を有する。上側及び下側屋根フレーム２４，２６は、樋２１と平行に延びる長尺な部材であり、Ｃ形鋼により各々構成されている。
【００３０】
上側屋根フレーム２４は、上下に延びる板状のウェブ２４Ａと、ウェブ２４Ａの上端に接続された板状の上端フランジ２４Ｂと、ウェブ２４Ａの下端に接続された板状の下端フランジ２４Ｃと、を有する。図１に示すように、上端及び下端フランジ２４Ｂ，２４Ｃは、ウェブ２４Ａに対して略直角を成すと共に、ウェブ２４Ａの上端及び下端から樋２１と反対側に向かって各々延びている。また上端フランジ２４Ｂ及び下端フランジ２４Ｃの先端は、各々内向きに折り曲げられている。上側屋根フレーム２４は、上端フランジ２４Ｂにおいて上側屋根材１２の下面１０Ｂに固定されている。
【００３１】
下側屋根フレーム２６は、上下に延びる板状のウェブ２６Ａと、ウェブ２６Ａの上端に接続された板状の上端フランジ２６Ｂと、ウェブ２６Ａの下端に接続された板状の下端フランジ２６Ｃと、を有する。図１に示すように、上端及び下端フランジ２６Ｂ，２６Ｃは、ウェブ２６Ａに対して略直角を成すと共に、ウェブ２６Ａの上端及び下端から樋２１に向かって各々延びている。即ち、下側屋根フレーム２６は、上側屋根フレーム２４と反対側に開口している。下側屋根フレーム２６は、下端フランジ２６Ｃにおいて下側屋根材１３の上面１３Ａに固定されている。
【００３２】
上側屋根フレーム２４の下端フランジ２４Ｃ及び下側屋根フレーム２６の上端フランジ２６Ｂには、ボルト２５を挿入可能な孔（不図示）が各々形成されている。上側屋根フレーム２４と下側屋根フレーム２６は、下端フランジ２４Ｃの下面と上端フランジ２６Ｂの上面を接触させた状態でボルト２５を挿入し、当該ボルト２５に取り付けられた上下一対のナット２５Ａによって上下に締め込むことにより、互いに連結されている。
【００３３】
樋２１は、屋根上面１０Ａを伝って軒先に向かって流れる水を集め、この水を地上又は下水に導くための部材である。図１に示すように、樋２１は、屋根上面１０Ａ側に開口すると共に、屋根１０の縁部１１に沿って紙面奥行方向に延びる溝２１Ｄを有する。
【００３４】
樋２１は、底壁２１Ａと、底壁２１Ａにおける幅方向両端から立設された前壁２１Ｂ及び後壁２１Ｃと、を有する。図１に示すように、前壁２１Ｂは、ネット部材４０の側部が嵌まり込むように屈曲した形状を有すると共に、底壁２１Ａから離れるに従い徐々に広がるように立ち上がっている。後壁２１Ｃは、底壁２１Ａに対して略垂直に立ち上がっている。
【００３５】
ブラケット２２は、樋２１を上側屋根フレーム２４に対して支持するための部材である。図１に示すように、ブラケット２２は、樋２１の外面全体を覆うように当該樋２１よりも一回り大きい形状を有する。より具体的には、ブラケット２２は、樋２１の底壁２１Ａの下面に沿うブラケット底部２２Ａと、樋２１の前壁２１Ｂの前面に沿うブラケット前部２２Ｂと、樋２１の後壁２１Ｃの後面に沿うブラケット後部２２Ｃと、を有する。ブラケット２２は、ブラケット底部２２Ａにおいて樋２１を支持し、樋２１の長手方向に間隔を空けて複数設けられている。また図１に示すように、ブラケット２２は、ブラケット後部２２Ｃにおいて蝶ネジ２３により上側屋根フレーム２４（ウェブ２４Ａ）に取り付けられている。
【００３６】
ネット部材４０は、屋根上面１０Ａを伝って樋２１へ流れ落ちる水から枯葉などのゴミを除去するための部材である。ネット部材４０は、水が透過可能で且つ枯葉などのゴミの通過を阻止することが可能な網目構造を有している。このネット部材４０を樋２１内に配置することで、屋根上面１０Ａから樋２１内へ流れ落ちる水から枯葉などのゴミを除去し、樋２１の底部に枯葉などのゴミが堆積するのを防止することができる。
【００３７】
ネット部材４０は、樋２１の長手方向に延びる略円筒形状の部材であり、図１に示すように樋２１の底部側の一部が開いている。ネット部材４０は、樋２１の前壁２１Ｂ及び後壁２１Ｃの内側面に各々接するように配置され、樋２１の溝２１Ｄの底全体を塞いでいる。またネット部材４０は、樋２１の溝２１Ｄの底に向かって押圧されることにより、弾性変形可能に構成されている。
【００３８】
上記屋根構造１は、樋２１が前側から見えないよう隠すための化粧部７０をさらに備える。即ち、上記屋根構造１は、図１に示すように樋２１が化粧部７０よりも後側（屋根１０側）に配置され、化粧部７０により樋２１が外観上遮られた内樋構造となっている。
【００３９】
化粧部７０は、上側屋根フレーム２４（ウェブ２４Ａ）に固定された支持フレーム６１と、樋２１を前側及び底側から覆う外側化粧部７１と、外側化粧部７１を支持フレーム６１に固定する内側化粧部７２と、を有する。
【００４０】
図１に示すように、外側化粧部７１は、Ｈ形鋼からなり、樋２１の前側を覆う部分と、樋２１の底側を覆う部分と、を有する。外側化粧部７１は、上側フランジ７１Ａの内側に上側爪部７１ＡＡを有し、ウェブ７１Ｂにおける高さ方向中央よりもやや下方に下側爪部７１ＢＢを有する。
【００４１】
内側化粧部７２は、Ｌ形鋼からなり、図１に示すように長辺部の上端７２Ａが上側爪部７１ＡＡに嵌入されると共に、短辺部の先端７２Ｂ（長辺部に接続される側と反対側の端部）が下側爪部７１ＢＢに嵌入されている。
【００４２】
支持フレーム６１は、屋根上面１０Ａ側に開口する形状を有する。支持フレーム６１の一方の側壁（図１中左側の側壁）には、ボルト６２及びナット６３により内側化粧部７２の長辺部が固定されている。また支持フレーム６１の他方の側壁（図１中右側の側壁）は、上側屋根フレーム２４（ウェブ２４Ａ）に固定されている。
【００４３】
上記屋根構造１は、樋２１より上方の部位において水を受ける受け部７１Ａ，１２と、受け部７１Ａ，１２において受けた水を樋２１の溝内に案内する水切り部３０（案内部）と、を備える。受け部７１Ａ，１２は、外側化粧部７１の上側フランジ７１Ａと、上側屋根材１２と、を有する。
【００４４】
水切り部３０は、屋根側水切り部３２と、化粧側水切り部３１と、を有する。図１に示すように、屋根側水切り部３２と化粧側水切り部３１は、溝２１Ｄの幅方向において互いに間隔を空けて配置されている。屋根側水切り部３２は、溝２１Ｄの一方の内側面（後壁２１Ｃの内側面）よりも内側に位置している。また化粧側水切り部３１は、溝２１Ｄの他方の内側面（前壁２１Ｂの内側面）よりも内側に位置している。
【００４５】
屋根側水切り部３２は、屋根上面１０Ａを覆うと共に屋根上面１０Ａから前方に延びる平坦部３２Ａと、平坦部３２Ａの前端から樋２１に向かって下方に傾斜しつつ後壁２１Ｃよりも前方の位置まで延びる傾斜部３２Ｂと、を有する。この構成により、樋２１よりも上方にある屋根上面１０Ａで受けた水を傾斜部３２Ｂに沿って流し、当該水を樋２１の内側に案内することができる。
【００４６】
化粧側水切り部３１は、前壁２１Ｂの前方から後方まで延びる平坦部３１Ａと、平坦部３１Ａの先端から樋２１に向かって下方に傾斜しつつ前壁２１Ｂよりも後方の位置まで延びる傾斜部３１Ｂと、を有する。この構成により、傾斜部３１Ｂに沿って水を流し、当該水を樋２１の内側に案内することができる。図１に示すように、化粧側水切り部３１は、シーリング６０により外側化粧部７１（上側フランジ７１Ａ）の上面に固定されている。また水切り部３０（屋根側水切り部３２及び化粧側水切り部３１）は、樋２１の全長に亘って設けられている。
【００４７】
固定具５０は、ネット部材４０を樋２１に固定するための部材である。固定具５０は、例えばガルバリウム鋼板（登録商標）などの板材により構成されている。また図１に示すように、固定具５０の幅は、傾斜部３１Ｂ，３２Ｂの先端間の距離よりも大きくなっている。
【００４８】
固定具５０は、押圧部５５と、押圧部５５の幅方向の両側に設けられた一対の係止部５６，５７と、を有する。押圧部５５は、ネット部材４０を樋２１の溝２１Ｄの底に向かって上方から押圧可能な形状を有する。一対の係止部５６，５７は、屋根側係止部５６と、化粧側係止部５７と、を有する。図１に示すように、屋根側係止部５６は、屋根側水切り部３２に対して下方から係止し、化粧側係止部５７は、化粧側水切り部３１に対して下方から係止している。即ち、本実施形態では、固定具５０の一対の係止部５６，５７を係止するための一対の被係止部として、水切り部３１，３２（案内部）が利用されている。
【００４９】
上記屋根構造１では、ネット部材４０を固定具５０（押圧部５５）によって上方から押圧することにより生じるネット部材４０からの反力Ｆ１を利用して固定具５０を樋２１に固定することにより、ネット部材４０を樋２１に対して固定することができる。より具体的には、ネット部材４０は固定具５０によって押圧されることにより弾性変形するため、固定具５０にはネット部材４０の弾性変形に起因する上向きの反力Ｆ１が加わる。そして、固定具５０は、この反力Ｆ１によって上向きに押されることにより、一対の係止部５６，５７が水切り部３１，３２（被係止部）に対して下方から係止した状態になる。即ち、固定具５０は、ネット部材４０を押圧することによる反力Ｆ１を利用して、水切り部３１，３２に対して下方から係止している。
【００５０】
このため、上記屋根構造１では、ネット部材４０を下方に押圧するだけで係止部５６，５７を水切り部３１，３２から外すことができ、固定具５０を樋２１から容易に取り外すことができる。従って、固定具５０を樋２１から取り外した後、ネット部材４０を樋２１に対して着脱することが可能になり、メンテナンス性を向上させることができる。
【００５１】
また固定具５０は、固定具５０自身の弾発力ではなく、ネット部材４０の弾発力（反力）を利用して水切り部３１，３２に係止されている。ネット部材４０の弾発力は、固定具５０の弾発力よりも小さいため、水切り部３１，３２に大きな負荷が加わるのを抑制することができる。しかも、水切り部３１，３２は樋２１の内側面よりも内側に位置すると共に、係止部５６，５７は水切り部３１，３２に対して下方から係止している。このため、樋２１の外側から見て係止部５６，５７が露出せず、外観に優れた屋根構造１が得られる。
【００５２】
次に、固定具５０の構成について、図２を参照して詳細に説明する。固定具５０は、第１固定具５１と、第１固定具５１に対して着脱可能に嵌合する第２固定具５２と、を有する。図２に示すように、第１固定具５１と第２固定具５２は、同じ大きさ及び形状に形成されている。従って、第１及び第２固定具５１，５２に共通する構成は、一方についてのみ説明する。
【００５３】
第１固定具５１は、ガルバリウム鋼板（登録商標）により構成されると共に、その表面にフッ素塗装が施されている。このフッ素塗装により、ガルバリウム鋼板（登録商標）の耐候性が向上すると共に、日射等の紫外線による退色を抑えることもできる。第１固定具５１は、第１固定片１０１と、第１固定片１０１に対して折り曲げ可能な第１折り曲げ部１０２と、を含む板材からなる。
【００５４】
第１固定片１０１は、前端１０１Ａ、後端１０１Ｂ及び前端１０１Ａから後端１０１Ｂまで延びる一対の側端１０１Ｃを含む長方形状の板からなり、後端１０１Ｂ側の部位が折り曲げられている。第１固定片１０１には、一方の側端１０１Ｃから幅方向略中央まで切り込まれた第１スリット５８Ａが形成されている。第１スリット５８Ａは、第１固定片１０１の幅方向に延びている。また固定具５０が樋２１に取り付けられた状態（図１）において、第１スリット５８Ａは、樋２１の溝２１Ｄが延びる方向に開いた状態になる。
【００５５】
第１折り曲げ部１０２は、四角形状に形成されており、第１スリット５８Ａよりも前端１０１Ａ側において、一方の側端１０１Ｃに設けられている。第１固定片１０１と第１折り曲げ部１０２との接続部には、切欠部１０２Ａが両側に設けられている。これにより、第１折り曲げ部１０２を第１固定片１０１に対して折り曲げ易くなっている。
【００５６】
第２固定具５２は、第１固定具５１と基本的に同じ構成を有する。即ち、第２固定具５２は、第２スリット５９Ａが形成された第２固定片１１１と、第２固定片１１１に対して折り曲げ可能な第２折り曲げ部１１２と、を含む板材からなる。第２固定片１１１と第２折り曲げ部１１２との接続部には、切欠部１１２Ａが両側に設けられている。
【００５７】
第１固定具５１は、一方の係止部５６と、第１接続部５８と、を含む。一方の係止部５６は、第１固定片１０１を折り曲げた部分である。第１接続部５８は、第１固定片１０１において第１スリット５８Ａが形成された部位である第１基部１０３と、第１基部１０３に対して折り曲げ可能な第１折り曲げ部１０２と、を有する部分である。
【００５８】
第２固定具５２は、他方の係止部５７と、第１接続部５８に対して着脱可能に接続される第２接続部５９と、を含む。他方の係止部５７は、第２固定片１１１を折り曲げた部分である。第２接続部５９は、第２固定片１１１において第２スリット５９Ａが形成された部位である第２基部１１３と、第２基部１１３に対して折り曲げ可能な第２折り曲げ部１１２と、を有する部分である。
【００５９】
第１及び第２固定具５１，５２は、第１及び第２スリット５８Ａ，５９Ａを介して互いに嵌合することができる。より具体的には、第１スリット５８Ａにより第２接続部５９のスリット隣接部５９ＡＡ（途中部）を受け入れると共に、第２スリット５９Ａにより第１接続部５８のスリット隣接部５８ＡＡ（途中部）を受け入れることができる。
【００６０】
また第１及び第２固定具５１，５２を嵌合させた場合、第２接続部５９の第２スリット前方部５２Ａが第１接続部５８の第１スリット後方部５１Ｂの上に重なると共に、第１接続部５８の第１スリット前方部５１Ａが第２接続部５９の第２スリット後方部５２Ｂの上に重なる。第２スリット前方部５２Ａ及び第１スリット後方部５１Ｂはスリット５８Ａ，５９Ａの一方側に位置し、第１スリット前方部５１Ａ及び第２スリット後方部５２Ｂはスリット５８Ａ，５９Ａの他方側に位置する。
【００６１】
また第１及び第２固定具５１，５２を嵌合させた後、第１及び第２折り曲げ部１０２，１１２を折り曲げる前の状態では、スリット５８Ａ，５９Ａが延びる方向における第１及び第２固定具５１，５２の移動が許容される。即ち、第１固定具５１を第２スリット５９Ａから抜くことができると共に、第２固定具５２を第１スリット５８Ａから抜くことができる（非拘束状態）。
【００６２】
一方、第１及び第２折り曲げ部１０２，１１２を折り曲げた状態では、第１固定片１０１の両面が第２固定片１１１と第２折り曲げ部１１２とにより挟まれると共に、第２固定片１１１の両面が第１固定片１０１と第１折り曲げ部１０２とにより挟まれる。この場合、スリット５８Ａ，５９Ａが延びる方向における第１及び第２固定具５１，５２の移動が規制される。またネット部材４０から上向きの反力Ｆ１（図１）を受けた場合でも、第１スリット前方部５１Ａと第２スリット後方部５２Ｂがスリット５８Ａ，５９Ａを支点として互いに離れる方向に移動するのが規制される。同様に、第２スリット前方部５２Ａと第１スリット後方部５１Ｂがスリット５８Ａ，５９Ａを支点として互いに離れる方向に移動するのが規制される（拘束状態）。即ち、本実施形態では、第１及び第２折り曲げ部１０２，１１２（拘束部）を折り曲げることにより、上述した非拘束状態と拘束状態と、を切り替えることができる。
【００６３】
＜屋根構造の施工方法＞
次に、本実施形態に係る屋根構造の施工方法について、図２〜図７を参照して説明する。この施工方法では、以下の手順により、上記本実施形態に係る屋根構造１において固定具５０によりネット部材４０が樋２１に固定される。
【００６４】
まず、固定具５０を準備するステップＳ１が行われる。このステップＳ１では、図２を参照して説明した第１固定具５１及び第２固定具５２がそれぞれ準備される。
【００６５】
次に、ネット部材４０を樋２１に固定するステップＳ２が行われる。このステップＳ２では、まず、図３に示すように、一方の係止部５６を屋根側水切り部３２に対して下方から係止させる（引っ掛ける）ことにより、第１固定具５１が取り付けられる（第１係止ステップ）。ここで、第１固定具５１は、ガルバリウム鋼板（登録商標）側が上を向くように取り付けられる。
【００６６】
次に、図４に示すように、他方の係止部５７を化粧側水切り部３１に対して下方から係止させる（引っ掛ける）ことにより、第２固定具５２が取り付けられる（第２係止ステップ）。ここで、第２固定具５２は、第１固定具５１に対して樋の長手方向にずれた位置に取り付けられる。また取り付け後の状態において、第１及び第２固定具５１，５２の各スリットは、樋の溝が延びる方向に開いた状態になる。また第２固定具５２も、ガルバリウム鋼板（登録商標）側が上を向くように取り付けられる。
【００６７】
次に、図５に示すように、第２固定具５２を第１固定具５１側にスライドさせる。これにより、各スリットを介して第１及び第２固定具５１，５２が互いに嵌合（交差）した状態になる。
【００６８】
次に、図６に示すように、第１及び第２固定具５１，５２によりネット部材４０を上方から押圧し、両固定具５１，５２をネット部材４０の上面に沿うように曲げる。次に、図６及び図７に示すように、第１及び第２折り曲げ部１０２，１１２を各々裏面側に折り曲げる。これにより、第１接続部５８と第２接続部５９が接続され、スリットを支点として第１固定具５１と第２固定具５２が互いに回動するのが規制される。そして、押圧部５５によりネット部材４０が樋の溝の底に向かって押圧された状態で、ネット部材４０が弾性変形する（押圧ステップ）。
【００６９】
そして、固定具５０は、ネット部材４０の弾性変形に起因する反力Ｆ１（図１）によって、一対の係止部５６，５７が水切り部３１，３２に対して下方から係止した状態になる。以上の手順により、固定具５０を用いてネット部材４０を樋に固定することができる。なお、メンテナンス時には、上記手順と逆の順序によって固定具５０を簡単に取り外すことができる。
【００７０】
（実施形態２）
次に、本発明の実施形態２に係る屋根構造２について、図８を参照して説明する。本実施形態に係る屋根構造２は、基本的に上記実施形態１に係る屋根構造１と同様の構成を有し、同様の効果を奏するが、内樋形式ではなく軒樋形式である点で上記実施形態１と異なっている。
【００７１】
図８に示すように、屋根構造２は、屋根１０と、屋根１０の縁部に沿って延びる溝８１Ａを有する軒樋８１と、軒樋８１の溝内に配置されたネット部材４０と、ネット部材４０を軒樋８１に固定する固定具５０と、軒樋８１を屋根１０に固定するブラケット８２と、を備える。
【００７２】
屋根１０は、図略の垂木上に配置され、防水用のルーフィング層が形成された野地板９２と、野地板９２上に敷設され、屋根上面１０Ａを含むスレートや瓦などの屋根材９１と、軒先において野地板９２の下方に配置された板材からなる鼻隠し９４と、を有する。屋根材９１の下方には、軒樋８１の後壁８１Ｃの内側面よりも内側に位置する水切り部８３（被係止部）が設けられている。
【００７３】
軒樋８１の内側には、ブラケット８２が嵌め込まれている。ブラケット８２は、ネジ９５により鼻隠し９４に取り付けられており、これによって軒樋８１が屋根１０に対して支持されている。軒樋８１の前側上端８１Ｂには、軒樋８１の底部に向かって折り返されたフック部１２０（被係止部）が設けられている。このフック部１２０は、軒樋８１の前壁８１Ｄの内側面よりも内側に位置している。
【００７４】
本実施形態では、固定具５０は、上記実施形態１と同様にネット部材４０を上方から押圧することにより上向きの反力Ｆ１を受ける。これにより、第１固定具５１に設けられた一方の係止部５６が水切り部８３（被係止部）に対して下方から係止すると共に、第２固定具５２に設けられた他方の係止部５７がフック部１２０（被係止部）に対して下方から係止している。これにより、上記実施形態１と同様に、被係止部（水切り部８３，フック部１２０）に掛かる負荷を抑制すると共に、メンテナンス性及び外観に優れた屋根構造が実現されている。
【００７５】
（その他実施形態）
最後に、本発明のその他実施形態について説明する。
【００７６】
上記実施形態１，２のように第１及び第２固定具５１，５２がスリット５８Ａ，５９Ａを介して互いに嵌合する構成に限定されず、例えば一方の固定具に形成された孔に他方の固定具に形成された突起を挿入する構成としてもよい。また両方の固定具に設けられたフック同士を互いに引っ掛ける構成としてもよい。また第１及び第２固定具５１，５２を任意の止め具によって接続する構成としてもよい。
【００７７】
上記実施形態１，２のように固定具５０が第１及び第２固定具５１，５２により構成される場合に限定されず、１枚の板材により構成されていてもよい。
【００７８】
上記実施形態１，２のように水切り部３１，３２（案内部）を被係止部として利用する場合に限定されず、水切り部３１，３２以外の部位が被係止部として別途設けられてもよい。
【００７９】
今回開示された実施形態は、全ての点で例示であって、制限的なものではないと解されるべきである。本発明の範囲は、上記した説明ではなくて特許請求の範囲により示され、特許請求の範囲と均等の意味及び範囲内での全ての変更が含まれることが意図される。
【符号の説明】
【００８０】
１，２  屋根構造
１０  屋根
１０Ａ  屋根上面
１１  縁部
２１  樋
３０，３１，３２  水切り部（案内部、被係止部）
４０  ネット部材
５０  固定具
５１  第１固定具
５２  第２固定具
５５  押圧部
５６  係止部（屋根側係止部）
５７  係止部（化粧側係止部）
５８  第１接続部
５８Ａ  第１スリット
５８ＡＡ  第１スリット隣接部（途中部）
５９  第２接続部
５９Ａ  第２スリット
５９ＡＡ  第２スリット隣接部（途中部）
８１  軒樋（樋）
８３  水切り部（被係止部）
１０２  第１折り曲げ部（拘束部）
１０３  第１基部
１１２  第２折り曲げ部（拘束部）
１１３  第２基部
１２０  フック部（被係止部）
Ｆ１  反力
【図１】
2018040126.tif 000003
【図２】
2018040126.tif 000004
【図３】
2018040126.tif 000005
【図４】
2018040126.tif 000006
【図５】
2018040126.tif 000007
【図６】
2018040126.tif 000008
【図７】
2018040126.tif 000009
【図８】
2018040126.tif 000010